(57)【要約】      （修正有）【課題】耳朶への負担を軽減できる耳朶用装飾具を提供する。【解決手段】装飾が施される表面１２と、表面と反対側の面である裏面１４とを有する本体部１１を有する耳朶用装飾具１０であって、裏面は、本体部と耳朶の一部とを接着する接着剤が配置される接着領域を有する。接着領域は、複数の溝１６で構成されている。また、接着剤は、シアノアクリレート系を主成分とし、該主成分は、メトキシエチルシアノアクリレート、エトキシエチルシアノアクリレート、ブチルシアノアクリレート、オクチルシアノアクリレート、エチルシアノアクリレート及びメチルシアノアクリレートからなる群から選択される少なくとも一つを含んで形成されている。【選択図】図１
0003209699.tif 000002
【実用新案登録請求の範囲】
【請求項１】
装飾が施される第１の面と、前記第１の面と反対側の面である第２の面とを有する本体部を有する耳朶用装飾具であって、
前記第２の面は、前記本体部と耳朶の一部とを接着する接着層が配置される接着領域を有することを特徴とする耳朶用装飾具。
【請求項２】
請求項１に記載の耳朶用装飾具において、
前記接着領域は、複数の凹凸溝で構成されていることを特徴とする耳朶用装飾具。
【請求項３】
請求項１または請求項２に記載の耳朶用装飾具において、
前記接着層は、シアノアクリレート系を主成分とし、
前記主成分は、メトキシエチルシアノアクリレート、エトキシエチルシアノアクリレート、ブチルシアノアクリレート、オクチルシアノアクリレート、エチルシアノアクリレート及びメチルシアノアクリレートからなる群から選択される少なくとも一つを含んで形成されていることを特徴とする耳朶用装飾具。
【考案の詳細な説明】
【技術分野】
【０００１】  本考案は、耳朶用装飾具に関する。
【背景技術】
【０００２】  従来、耳朶に装飾されるものとしてイヤリング又はピアスが利用されている。イヤリングは略Ｕ字状の装着部により耳朶の下部を挟持することで固定するが長時間装着すると耳朶が痛くなるという課題がある。また、ピアスは耳朶に貫通孔を形成して装着するため、体質等の影響によっては貫通孔の形成時に耳朶に炎症を起こしてしまう可能性もあり、孔をあけることに抵抗がある人がいる。【０００３】  本考案に関連する技術として、例えば、特許文献１には、人の肌を装飾する装飾具であって、人の肌に着脱可能に張り付けられるベースシートと、ベースシートに設けられる装飾部と、を備えており、ベースシートは、一の面に、ベースシートを人の肌に貼りつける接着層を有する貼付面が形成されており、他の面に、装飾部が設けられる装飾面が形成されており、装飾部が、花の花弁を有する装飾花を有している装飾具が開示されている。
【先行技術文献】
【特許文献】
【０００４】
【特許文献１】特開２０１６−１１２０７１号公報
【考案の概要】
【考案が解決しようとする課題】
【０００５】  上記のように、従来のイヤリングやピアスは耳朶に負担をかけてしまうという課題があるため、耳朶への負担を軽減することを可能とする耳朶用装飾具の開発が望まれている。【０００６】  本考案の目的は、耳朶への負担を軽減する耳朶用装飾具を提供することである。
【課題を解決するための手段】
【０００７】  本考案に係る耳朶用装飾具は、装飾が施される第１の面と、前記第１の面と反対側の面である第２の面とを有する本体部を有する耳朶用装飾具であって、前記第２の面は、前記本体部と耳朶の一部とを接着する接着層が配置される接着領域を有することを特徴とする。【０００８】  また、本考案に係る耳朶用装飾具において、前記接着領域は、複数の凹凸溝で構成されていることが好ましい。【０００９】  また、本考案に係る耳朶用装飾具において、前記接着層は、シアノアクリレート系を主成分とし、前記主成分は、メトキシエチルシアノアクリレート、エトキシエチルシアノアクリレート、ブチルシアノアクリレート、オクチルシアノアクリレート、エチルシアノアクリレート及びメチルシアノアクリレートからなる群から選択される少なくとも一つを含んで形成されていることが好ましい。
【考案の効果】
【００１０】  本考案によれば、耳朶を挟持したり、耳朶に貫通孔をあけたりする必要がなく耳朶に装着することができる。これにより、耳朶への負担を軽減しつつ、装飾具としての役割を果たすことができる。
【図面の簡単な説明】
【００１１】
【図１】本考案に係る実施形態において、耳朶用装飾具を示す図である。
【図２】本考案に係る実施形態において、耳朶用装飾具の裏面に接着剤を塗布して、耳朶に耳朶用装飾具を貼着している様子を示す図である。
【考案を実施するための形態】
【００１２】  以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１３】  図１は、耳朶用装飾具１０を示す図であり、図１（ａ）は耳朶用装飾具１０の表面１２を示しており、図１（ｂ）は耳朶用装飾具１０の裏面１４を示している。図２は、耳朶用装飾具１０の裏面１４に接着剤８を塗布して、耳６の耳朶に耳朶用装飾具１０を貼着している様子を示す図である。
【００１４】  耳朶用装飾具１０は、所定の厚みを有し、表面１２と裏面１４とを有する本体部１１を備えている。ここでは、本体部１１の形状は、内部がくり貫かれたハート状の外形を有している。図１に示されるハート上部の凹部から内部側に突出して形成された略円部が設けられている。
【００１５】  ここでは、本体部１１の形状は、ハート形状であるものとして説明するが、もちろん、その他の形状であってもよく、例えば、星形、円形、矩形、楕円形など様々なデザインを採用することができる。
【００１６】  本体部１１は、適度な強度を有する材質で構成されており、例えば、金、銀、白金、樹脂、ポリプロピレン系の樹脂、チタン、セラミック、ロジウム、アクリル、ポリカーボネート、サージカルステンレスを用いて構成することができる。ここでは、銀（シルバー）を用いるものとして説明する。
【００１７】  銀は、抗菌作用が高く、イオン化傾向が低い金属であり、金属アレルギーを起こすことが稀であるため、耳朶に貼着する本体部１１の材質に用いることが好ましい。また、銀の他にも、比較的安価で、軽く、かつ、強度があり、金属アレルギーの反応がほぼ起こらないチタンを用いることも好適である。
【００１８】  本体部１１の大きさは、一般的な成人女性の耳朶の大きさに十分収まる程度の大きさに設定されていることが好ましく、本体部１１の厚みは、０．２ｍｍ〜０．５ｍｍの間に設定することが好適である。もちろん、この厚みに限定されず、本体部１１の材質に応じて、適宜変更することが可能である。
【００１９】  図１（ａ）に示されるように、本体部１１の表面１２には、装飾が施されている。本体部１１の表面１２を彫刻してもよいし、本体部１１と別部材、例えば、スワロフスキー等を貼着することで装飾してもよい。表面１２は、ハート形状の外形領域だけでなく、ハート形状の内部に突出した略円部領域１２ａにも装飾が施されることが好適である。
【００２０】  図１（ｂ）に示されるように、本体部１１の裏面１４には、図１（ｂ）の上部から下部に向けて延伸する複数の溝１６が並んで形成されている。複数の溝１６の幅は、本体部１１の大きさに応じて適宜変更可能であるが、例えば、本体部１１の横幅の５％の程度の溝幅に設定することができる。溝１６の深さは、比較的浅く設定されており、例えば、１ｍｍ以下に設定することが好適である。
【００２１】  ここで、本体部１１において、第１の面である表面１２と第２の面である裏面１４とは反対側に位置し、略平行に設けられている。装飾が施される表面１２と反対に位置する裏面１４は、接着剤８が塗布されて耳朶に貼着される。
【００２２】  接着剤８は、本体部１１の裏面と耳朶とを接着し、かつ、皮膚への刺激が少ない特性を有するものが好適である。例えば、メトキシエチルシアノアクリレート、エトキシエチルシアノアクリレート、ブチルシアノアクリレート、オクチルシアノアクリレート、エチルシアノアクリレート及びメチルシアノアクリレートを主成分として含有することが好ましい。
【００２３】  上記シアノアクリレート系のうち、ブチルシアノアクリレートを用いることがより好適である。ブチルシアノアクリレートは、空気中または被着体である皮膚に付着している水分によって硬化し、その際アレルギー反応の原因となると言われるホルムアルデヒドの放散量が少なく、アレルギー反応を抑制する利点がある。
【００２４】  接着剤８は、上記主成分に加え、増粘剤、安定剤を備えている。増粘剤は、アクリル樹脂を含んでおり、アクリル樹脂の量を多くすることで粘度を高めることができる。着色剤は、ヒドロキノン、ヒドロキシアニソールを含んでおり、接着期間を長くすることができる利点がある。
【００２５】  続いて、上記構成の耳朶用装飾具１０の作用について説明する。図２の円４で囲まれた領域には、女性の耳６の耳朶に耳朶用装飾具１０が貼着されている様子が示されている。耳朶用装飾具１０を貼着するためには、接着剤８が収容された容器を準備し、耳朶用装飾具１０の裏面１４の全ての領域に接着を塗布する。この際、ハート側の外形の領域だけでなく、略円部領域１４ａにも塗布する。
【００２６】  接着剤８を本体部１１の裏面１４に塗布した後、耳６の耳朶に裏面１４を接触させて、本体部１１の表面１２を押圧する。これにより、図２に円４で囲まれた領域で示されるように耳朶用装飾具１０を耳朶に貼着することができる。
【００２７】  このように、耳朶用装飾具１０を用いることで、従来のイヤリングのように略Ｕ字状の装着部により耳朶の下部を挟持固定する必要がないため、長時間装着した場合であっても耳朶に痛みが生じることがない。
【００２８】  また、耳朶用装飾具１０を用いることで、従来のピアスのように、耳朶に貫通孔をあける必要がないため、耳朶に負担をかけることもない。
【００２９】  さらに、耳朶用装飾具１０の本体部１１の材質として例えば金属アレルギーの発生確率が極めて低い銀やチタンを採用したり、接着剤８の主成分をブチルシアノアクリレートとすることでアレルギー反応を抑えることができ、耳朶への負担をかけないようにすることができるという利点がある。
【００３０】  また、耳朶用装飾具１０の本体部１１の裏面１４は、複数の溝１６が形成されており、凹凸の全域に接着剤８を塗布することができるため、本体部１１の裏面１４と耳６の耳朶との接着力を高めることができる利点がある。
【００３１】  なお、上述したように、耳朶用装飾具１０の本体部１１の裏面１４には複数の溝１６が形成されているものとして説明したが、複数の溝１６を形成せずに平坦面の接着領域にしても同様の効果を奏する。
【符号の説明】
【００３２】  ４  円、６  耳、８  接着剤、１０  耳朶用装飾具、１１  本体部、１２  表面、１２ａ，１４ａ  略円部領域、１４  裏面、１６  溝。
【図１】
0003209699.tif 000003
【図２】
0003209699.tif 000004